(57)【要約】【課題】疲れた体に更なる体力を使わないように、自分の尻にかかる体重を掛けて使用するもので、高齢者でも安全に楽に長時間使用できる。【解決手段】本発明は課題を解決するため、以下の手段を採用する。  足裏押圧具は、てこの原理の内の第二のてこを応用したものである。支点と力点の間に作用点を有する。座板部（１）の端部に支点となる蝶番（２）を取り付け、その蝶番のもう一方の面に上板（３）を取り付ける。その上板（３）の中間部に作用点の役目となる足裏を押圧する押圧凸部（４）を設ける。そして、その上板の兆番と反対側が力点となる加圧部（５）である。  その加圧部（５）に、正座時に尻にかかる自分の体重を掛けると、押圧凸部（４）が足裏により大きな応力となり押圧刺激を与えることを特徴とする。【選択図】図１
2020151442.tif 000002
【特許請求の範囲】
【請求項１】
てこの原理を応用した足裏押圧具で、支点としての蝶番（２）と、足裏に押圧刺激を与える作用点に押圧凸部（４）、力点の加圧部（５）で構成され、その力点となる加圧部（５）に正座した時に尻にかかる体重を掛けた結果、上向きにした足裏に楽に押圧刺激を与えることを特徴とする足裏押圧具である。
【請求項２】
押圧凸部（４）を複数設けることで、両足裏への押圧刺激を同時に可能とする請求項１に記載の足裏押圧具である。
【請求項３】
座板（１）の上面には、足の甲が痛くないように緩衝材（６）を有する請求項１〜２に記載の足裏押圧具である。
【発明の詳細な説明】
【技術分野】
【０００１】  正座で足裏を上に向けた状態で使用する物で、てこの原理を応用し尻にかかる体重を力点に応力として掛けると、その作用点の押圧凸部が足裏に押圧刺激を与える足裏押圧具である。
【背景技術】
【０００２】  長時間に及ぶ立ち仕事や長距離の歩行によって、足はまるで棒のようになり大変なコリや疲れを蓄積する。これまでの足裏のコリや疲れを解消する安価な方法としては代表的なものでは割竹踏みや足裏ツボ押し具等であった。
又、物ではないがうつ伏せに寝て他人に足裏を踏んでもらう、というような方法に頼っていた。
【発明の概要】
【発明が解決しようとする課題】
【０００３】  割竹踏みや床に置いて使用する形態の足裏ツボ押し具の場合、床に置いたその物を立って足裏で踏む物で、ただでさえ疲れているので早く座って疲れから開放されたいと願うのである。又、椅子に座って使用しても十分な押圧力が得られなかった。
足裏の中央部を踏むときは良いが、指や指根元を踏もうとするとバランスを崩す危険もあった。【０００４】  手で押して刺激をする棒状のツボ押し具の場合、やはり自分の腕力による為に腕や手に疲れを伴うのである。【０００５】  患者はうつ伏せに寝て他人に足裏を踏んでもらうという方法は、先ずは踏んでもらう他人が必要なのである。マッサージ店に行けばお金や往復の時間も要するのである。
又、足裏を踏んでもらう部位や強さはなかなか自分の思い通りにはならないのである。
【課題を解決するための手段】
【０００６】  本発明は、上記課題を解決するため、以下の手段を採用する。
足裏押圧具は、てこの原理の中の第二のてこを応用したものである。支点と力点の間に作用点を有する。座板部（１）の端部に支点となる蝶番（２）を取り付け、その蝶番のもう一方の面に上板（３）を取り付ける。その上板（３）の間に作用点となり足裏を押圧する押圧凸部（４）を設ける。
そして、その上板の蝶番と反対側が力点となる加圧部（５）である。
その力点に、正座時に尻にかかる自分の体重を掛けた結果、作用点の押圧凸部（４）が足裏に押圧刺激を与えることを特徴とする。
【発明の効果】
【０００７】  本発明は、正座をして足首を伸ばして使用するので足や足首の関節等にかかっていた力から開放されリラックスした状態で使用できることを特徴とする。
又、座って使用するのでバランスを崩して転倒することもなく安全かつ楽である。【０００８】  又、割竹踏みや足つぼ押し具は足裏への一方的な刺激なのに対し、当発明品は床に足の甲を着けて、その反対面となる足裏を押圧することから、足はその押圧力とそれにより床面に発生する反力に挟まれるので足の甲にも心地よい刺激が発生することを特徴とする。【０００９】  この足裏押圧具は、前記のようにてこの原理における力点に自分の体重を掛けて使用するので、力加減は自分で調整ができるのである。又、足裏の押圧するポイントは自分で足をずらせば良いことなので、土踏まずから指の付け根部分等まで自由に調整ができることを特徴とする。【００１０】  電力や動力を使用せず、軽量なのでどこにでも移動して使用でき、かつ構成が簡単なので安価にできる。
【図面の簡単な説明】
【００１１】
【図１】足裏押圧具の実施例を示す立面図である。
【図２】足裏押圧具の実施例を示す平面図である。
【図３】足裏押圧具の斜視図である。
【図４】足裏押圧具の平面図である。
【図５】足裏押圧具の右側の立面図である。又、鎖線で図示の（９）の図は（３）の上板を起こした状態の図である。尚、左側の立面図は、右側の立面図の左右対称形になることから省略する。
【図６】足裏押圧具の構造を示すＸ−Ｘ断面図である。
【図７】足裏押圧具の正面の立面図である。
【図８】足裏押圧具の背面の立面図である。
【図９】足裏押圧具の底面の見上げ図である。
【発明を実施するための形態】
【００１２】  本発明に係る実施形態について、図１及び図２を参照して説明する。
足裏押圧具は、てこの原理の内の第二のてこを応用したもので、支点と力点の間に作用点を有する。座板部（１）の端部に支点となる蝶番（２）を取り付け、その蝶番のもう一方の面に上板（３）を取り付ける。その上板（３）の間に作用点となり足裏を押圧する押圧凸部（４）を設ける。そして、その上板の蝶番と反対側が力点となる加圧部（５）である。
足裏押圧具の使用の形態であるが、先ず、上板（３）は（９）の位置に起こしておく。
次にこの足裏押圧具とは後ろ向きになり、座板の上の緩衝材（６）に足の甲を乗せ立膝になる。そして、（９）の位置に起こしておいた上板（３）を倒して押圧凸部（４）が押圧したい足裏の望む位置にくるように足の位置を調整する。その後、立膝から正座になって尻（８）で加圧部（５）に体重を掛ける。その結果、押圧凸部（４）が足裏（７）に押圧刺激を与えることを特徴とする。
足裏への押圧力は，てこの原理による力のモーメントにより尻に掛かる体重より大きな力となるので、力む必要もない。この足裏への押圧力は、尻に掛かる体重の加減で調整が可能である。又、足裏の押圧位置は自分の意志で足をずらすことで可能である。この結果土踏まずだけでなく指や指の付け根部分まで安全かつ楽に押圧をすることができるものである。
【００１３】  足裏押圧具の押圧凸部（４）を細い物に替えると、足裏のツボを楽に押圧する器具として使用することもできる。やはり、座って使用するものなので殆ど力を使うことなく押圧刺激を受けることができる。
【産業上の利用可能性】
【００１４】  本発明の足裏押圧具は、家庭でいつでも簡単に足裏のコリや疲れを和らげるもので、産業上利用可能性の高いものである。
【符号の説明】
【００１５】１  座板
２  蝶番
３  上板
４  押圧凸部
５  加圧部
６  緩衝材
７  足裏
８  尻
９  上板（３）を起こした状態
【図１】
2020151442.tif 000003
【図２】
2020151442.tif 000004
【図３】
2020151442.tif 000005
【図４】
2020151442.tif 000006
【図５】
2020151442.tif 000007
【図６】
2020151442.tif 000008
【図７】
2020151442.tif 000009
【図８】
2020151442.tif 000010
【図９】
2020151442.tif 000011